(57)【要約】【課題】オーディオ信号のレベル変化と連動して表示の色を切り替える。【解決手段】音源部２５からのオーディオデータが音圧レベル解析部１３ａによって音圧レベル信号に変換される。音圧レベル信号が最大値検出部１３ｂに供給され、所定期間の最大値が検出される。しきい値設定部１３ｃによって最大値からしきい値が設定される。トリガー発生部１３ｄにおいて、しきい値と音圧レベル信号とが比較され、トリガー信号が生成される。音圧レベル信号がスレッショルドより小さい値から大きい値に変化する場合に、トリガー信号が発生する。トリガー信号によって光源２４の色切り替えが制御される。【選択図】図３
2012027227.tif 000002
【特許請求の範囲】
【請求項１】
オーディオ信号の所定期間毎の最大レベルを検出し、前記最大レベルを基準としてしきい値を設定するレベル設定部と、
前記オーディオ信号と前記しきい値とを比較し、前記オーディオ信号のレベルが前記しきい値より小なるレベルから前記しきい値より大なるレベルに変化した時に、トリガー信号を発生するトリガー発生部と
を備えるトリガー発生装置。
【請求項２】
前記レベル設定部は、前記オーディオ信号を複数の帯域に分割し、分割された各帯域のオーディオ信号毎に、前記トリガー信号を発生し、
前記複数の帯域の中の何れかの帯域のオーディオ信号に関して前記トリガー信号が発生するときに、前記トリガー信号を出力する請求項１に記載のトリガー発生装置。
【請求項３】
オーディオ信号の所定期間毎の最大レベルを検出し、前記最大レベルを基準としてしきい値を設定するレベル設定部と、
前記オーディオ信号と前記しきい値とを比較し、前記オーディオ信号のレベルが前記しきい値より小なるレベルから前記しきい値より大なるレベルに変化した時に、トリガー信号を発生するトリガー発生部と
前記トリガー発生部が発生するトリガー信号に応じて、表示部の表示を変化させる制御部と
を備える表示制御装置。
【請求項４】
前記レベル設定部は、前記オーディオ信号を複数の帯域に分割し、分割された各帯域のオーディオ信号毎に、前記トリガー信号を発生し、
前記複数の帯域の中の何れかの帯域のオーディオ信号に関して前記トリガー信号が発生するときに、前記トリガー信号を出力する請求項３に記載の表示制御装置。
【請求項５】
前記制御部は、前記トリガー信号のタイミングでもって、前記表示部の色を切り替えるように、前記表示部を制御する請求項３または４に記載の表示制御装置。
【請求項６】
予め複数の色の変化する順序が設定されている色変化パターンを複数備え、
前記制御部は、前記トリガー信号のタイミングでもって、前記色変化パターンにおける色を切り替えるように、前記表示部を制御する請求項３または４に記載の表示制御装置。
【請求項７】
前記複数の色変化パターンは、類似した色相の複数の色の系列である請求項６に記載の表示制御装置。
【請求項８】
前記トリガー信号による変化の急峻度が複数規定され、前記オーディオ信号の曲調に応じて前記変化の急峻度が決定される請求項３乃至７のいずれか１項に記載の表示制御装置。
【請求項９】
オーディオ信号の所定期間毎の最大レベルを検出し、前記最大レベルを基準としてしきい値を設定するレベル設定ステップと、
前記オーディオ信号と前記しきい値とを比較し、前記オーディオ信号のレベルが前記しきい値より小なるレベルから前記しきい値より大なるレベルに変化した時に、トリガー信号を発生するトリガー発生ステップと
を有するトリガー発生方法。
【請求項１０】
コンピュータに対して、
オーディオ信号の所定期間毎の最大レベルを検出し、前記最大レベルを基準としてしきい値を設定するレベル設定ステップと、
前記オーディオ信号と前記しきい値とを比較し、前記オーディオ信号のレベルが前記しきい値より小なるレベルから前記しきい値より大なるレベルに変化した時に、トリガー信号を発生するトリガー発生ステップと
を実行させるためのトリガー発生方法のプログラム。
【請求項１１】
オーディオ信号の所定期間毎の最大レベルを検出し、前記最大レベルを基準としてしきい値を設定するレベル設定ステップと、
前記オーディオ信号と前記しきい値とを比較し、前記オーディオ信号のレベルが前記しきい値より小なるレベルから前記しきい値より大なるレベルに変化した時に、トリガー信号を発生するトリガー発生ステップと、
前記トリガー発生部が発生するトリガー信号に応じて、表示部の表示を変化させる表示制御ステップと
を有する表示制御方法。
【請求項１２】
コンピュータに対して、
オーディオ信号の所定期間毎の最大レベルを検出し、前記最大レベルを基準としてしきい値を設定するレベル設定ステップと、
前記オーディオ信号と前記しきい値とを比較し、前記オーディオ信号のレベルが前記しきい値より小なるレベルから前記しきい値より大なるレベルに変化した時に、トリガー信号を発生するトリガー発生ステップと、
前記トリガー発生部が発生するトリガー信号に応じて、表示部の表示を変化させる表示制御ステップと
を実行させるための表示制御方法のプログラム。
【発明の詳細な説明】
【技術分野】
【０００１】
本願開示は、トリガー発生装置および表示制御装置、トリガー発生方法、表示制御方法、トリガー発生プログラム、表示制御プログラムに関する。
【背景技術】
【０００２】
従来からオーディオデータの再生に同期して各種の制御を実行することが行われている。例えば、下記の特許文献１には、再生されるオーディオデータの特性に応じて、複数のＬＥＤを発光させる制御を行うことが記載されている。
【先行技術文献】
【特許文献】
【０００３】
【特許文献１】特表２００４−５０１４９７号公報
【発明の概要】
【発明が解決しようとする課題】
【０００４】
音楽などのオーディオデータは、再生に応じて様々に変化する。例えば、クラシックなどの音楽では、曲の冒頭で大きな楽器音が入力されることもあれば、曲の途中で楽器音が再生されることもある。また、ポップスなどの音楽では、例えばサビの部分になるとボーカル音が大きく再生される。このような音楽に同期して何らかの制御を行う際は、オーディオデータの変化に応じて適切なタイミングで制御のトリガーを供給することが望まれる。
【０００５】
したがって、一つの目的は、適切なタイミングでトリガーを提供するトリガー発生装置およびトリガー発生方法、トリガー発生プログラムを提供することである。他の目的は、トリガーに応じて表示制御を行う表示制御装置および表示制御方法、表示制御プログラムを提供することである。
【課題を解決するための手段】
【０００６】
本願開示のトリガー発生装置は、オーディオ信号の所定期間毎の最大レベルを検出し
、最大レベルを基準としてしきい値を設定するレベル設定部と、
オーディオ信号としきい値とを比較し、オーディオ信号のレベルがしきい値より小なるレベルからしきい値より大なるレベルに変化した時に、トリガー信号を発生するトリガー発生部とを備える。
本願開示の表示制御装置は、オーディオ信号の所定期間毎の最大レベルを検出し、最大レベルを基準としてしきい値を設定するレベル設定部と、
オーディオ信号としきい値とを比較し、オーディオ信号のレベルがしきい値より小なるレベルからしきい値より大なるレベルに変化した時に、トリガー信号を発生するトリガー発生部と
トリガー発生部が発生するトリガー信号に応じて、表示部の表示を変化させる制御部とを備える。
【０００７】
本願開示のトリガー発生方法は、オーディオ信号の所定期間毎の最大レベルを検出し、最大レベルを基準としてしきい値を設定するレベル設定ステップと、
オーディオ信号としきい値とを比較し、オーディオ信号のレベルがしきい値より小なるレベルからしきい値より大なるレベルに変化した時に、トリガー信号を発生するトリガー発生ステップとを有する。
本願開示の表示制御方法は、オーディオ信号の所定期間毎の最大レベルを検出し、最大レベルを基準としてしきい値を設定するレベル設定ステップと、
オーディオ信号としきい値とを比較し、オーディオ信号のレベルがしきい値より小なるレベルからしきい値より大なるレベルに変化した時に、トリガー信号を発生するトリガー発生ステップと、
トリガー発生部が発生するトリガー信号に応じて、表示部の表示を変化させる表示制御ステップとを有する。
【発明の効果】
【０００８】
少なくとも一つの実施例によれば、オーディオ信号の特性に応じて適切にトリガーを発生することができる。また、少なくとも一つの実施例によれば、トリガーに応じてオーディオ信号の再生と一体感のある表示制御を行うことができる。
【図面の簡単な説明】
【０００９】
【図１】車載オーディオ装置の構成例を示すブロック図である。
【図２】車載オーディオ装置のフロントパネルの例を示す正面図である。
【図３】トリガー信号生成の構成例を示すブロック図である。
【図４】トリガー信号生成の説明に用いるタイミングチャートである。
【図５】判定レベルとしての最大値を検出する処理のフローチャートである。
【図６】トリガー信号を生成する処理のフローチャートである。
【図７】色変化パターンの例を示す略線図である。
【図８】色切り替えパターンの例を示す略線図である。
【発明を実施するための形態】
【００１０】
以下、この発明の実施の形態について図面を参照しながら説明する。なお、説明は、以下の順序で行う。
＜１．一実施形態＞
＜２．変形例＞
なお、以下に説明する実施の形態は、この発明の好適な具体例であり、技術的に好ましい種々の限定が付されているが、この発明の範囲は、以下の説明において、特にこの発明を限定する旨の記載がない限り、これらの実施の形態に限定されないものとする。
【００１１】
＜１．一実施形態＞
１．車載オーディオ装置の構成
図１は、車載オーディオ装置１の構成の一例を示す。この一実施形態では、トリガー発生装置および表示制御装置の一例として車載オーディオ装置を使用して説明するが、この例に限定されることはない。例えば、据え置き型のオーディオ再生装置、携帯型のオーディオ再生装置、オーディオ再生機能を有するパーソナルコンピュータに対しても適用可能である。
【００１２】
図１において、車載オーディオ装置１は、コントローラ１０を備える。コントローラ１０は、例えば、ＣＰＵ(Central Processing Unit) で構成される。コントローラ１０に対しては、ＲＯＭ(Read Only Memory)１１およびＲＡＭ(Random Access Memory)１２が接続される。コントローラ１０は、例えば、ＲＯＭ１１に記録されたプログラムを実行することで車載オーディオ装置１の各部を制御する。ＲＡＭ１２は、コントローラ１０が処理を実行するときのワークメモリやデータの一時記憶領域として使用される。
【００１３】
コントローラ１０は、オーディオプロセッサ１３と接続される。オーディオプロセッサ１３は、コントローラ１０の制御に応じてオーディオデータに対する各種の処理を実行する。例えば、圧縮されたオーディオデータに対する復号処理や後述する処理を実行する。
【００１４】
オーディオプロセッサ１３に対しては、記録媒体１５が接続される。記録媒体１５は、例えばＣＤ(Compact Disk)やＵＳＢ(Universal Serial Bus)メモリとされ、記録媒体１５には各種のオーディオデータが記録される。コントローラ１０の制御に応じてオーディオプロセッサ１３が記録媒体１５に記録されたオーディオデータを読み出す。読み出されたオーディオデータに対して復号処理等の処理がオーディオプロセッサ１３によって行われる。処理が行われたオーディオデータがアンプ１６に供給される。アンプ１６においてオーディオデータの増幅がなされ、増幅されたオーディオデータがスピーカ１７から再生される。
【００１５】
なお、オーディオプロセッサ１３に対して放送によるオーディオデータが供給されてもよい。例えば、アンテナ１８で受信された放送信号がチューナ部１９に供給され、チューナ部１９において復調等の処理が実行され、チューナ部１９からのオーディオデータがオーディオプロセッサ１３に供給される。車載オーディオ装置１がインターフェース（Ｉ／Ｆ）２０を介して外部機器と接続され、外部機器からオーディオデータが供給されるようにしてもよい。すなわち、車載オーディオ装置１に対して、インターフェース２０を介して携帯端末が接続され、携帯端末から車載オーディオ装置１に対して転送されたオーディオデータがコントローラ１３の制御によってオーディオプロセッサ１３に供給されるようにしてもよい。さらには、例えば、車載オーディオ装置１に図示しない通信部を設けて、ネットワークを介して受信されたオーディオデータがオーディオプロセッサ１３に対して供給されるようにしてもよい。
【００１６】
車載オーディオ装置１は、操作ボタン群２１、ＬＣＤ(Liquid Crystal Display)２２およびＬＣＤ２２と関連して設けられたタッチパネル２３を備える。操作ボタン群２１やＬＣＤ２２は、例えば、インストルメントパネルやダッシュボードと呼ばれる運転席の近傍に配設される。もちろん、後部座席用に配設された操作ボタン群やＬＣＤを含むものとしてもよい。
【００１７】
ユーザにより操作ボタン群２１が操作されると、操作に伴う操作信号が発生し、操作信号がコントローラ１０に供給される。コントローラ１０は、操作信号に応じた処理を行う。タッチパネル２３に対する接触操作に応じた操作信号がコントローラ１０に供給される。コントローラ１０は、操作信号に応じた制御を実行する。
【００１８】
例えば、ユーザにより操作ボタン群２１を使用した選曲操作がなされると、コントローラ１０は、選曲されたオーディオデータを読み出すための制御信号を発生する。制御信号がオーディオプロセッサ１３に供給され、制御信号に応じてオーディオプロセッサ１３が記録媒体１５等から対応するオーディオデータを読み出して再生する。
【００１９】
コントローラ１０は、光源２４を制御する。光源２４は、例えば、多色発光が可能な装置であり、例えば３原色のＬＥＤ(Light Emitting Diode)によって構成される。光源２４は、ＬＣＤ２２の背面に位置し、ＬＣＤ２２に対するバックライトとして機能する。さらに、光源２４による光が操作ボタン群２１のボタンまたはその近傍を背面から照射するように設置される。コントローラ１０による制御によって光源２４の色が切り替えられる。色の切り替えによって、ＬＣＤ２２の表示色や操作ボタン群２１における各ボタンの表示色が変化する。
【００２０】
２．操作ボタン群・ＬＣＤの構成
図２は、車載オーディオ装置１のフロントパネルの一例を示す。フロントパネルに操作ボタン群２１の各ボタン、並びにＬＣＤ２２が配置されている。操作ボタンとして、早送り、スキップ操作を行うボタン２１ａ、巻戻し、リターン操作を行うボタン２１ｂ、モード設定を行うためのボタン２１ｃが配置されている。さらに、回転操作と押下操作により各種の設定、選択を行うダイヤル式のボタン２１ｄ、プリセットされた放送局を選択するためのボタン２１ｅ、表示色を設定するためのカラーボタン２１ｆ等が配されている。
【００２１】
ＬＣＤ２２およびこれらの操作ボタンの背面には光源２４が設置される。光源２４が異なる色で発光することで、各操作ボタン群２１の表示色が変化する。例えば、ボタン２１ａやボタン２１ｂの黒三角で示す箇所が赤、青など様々な表示色に変化する。ボタン２１ｃの矢印部分やボタン２１ｅの数字部分の表示色が変化する。記号や数字だけでなく、文字（例えば、ボタン２１ａやボタン２１ｂにおける「ＳＥＥＫ」という文字やボタン２１ｃにおける「ＭＯＤＥ」という文字）の表示色が変化するようにしてもよい。
【００２２】
さらに、光源２４は、操作ボタン群２１およびＬＣＤ２２に対して共通に設ける構成に限られない。すなわち、操作ボタン群２１とＬＣＤ２２とで別個に光源を設けるようにしても良い。さらに、操作ボタンのそれぞれに対して別々の光源を設けるようにしても良い。さらに、光源が操作ボタン群２１と独立に設置されても良い。例えば、ダイヤル式のボタン２１ｄの近傍に円弧状光源２４ａが設けられ、光源２４ａの表示色が変化するようにしても良い。このように、操作ボタン群２１をどのようなボタン配列とし、各ボタンのいかなる箇所の表示色を変化するかは、適宜変更可能である。
【００２３】
操作ボタン群２１の近傍にＬＣＤ２２が配設される。ＬＣＤ２２には、例えば、ＣＤ再生時のトラック名や、放送局の周波数など様々な情報が表示される。また、ＬＣＤ２２は、各種のモードや設定を行う際の表示領域として使用されてもよい。ＬＣＤ２２の背面には、バックライトとして光源２４が設置される。光源２４の色を変化させることによって、ＬＥＤ２２に表示される文字、記号などの表示色が変化する。
【００２４】
３．処理の概要
次の、この一実施形態における車載オーディオ装置１によって実行される処理の概要を図３を使用して説明する。音源部２５は、図１における記録媒体１５、アンテナ１８を介して受信される放送波、インターフェース２０を介して接続される外部機器などを総称したものである。
【００２５】
音源部２５からの例えばデジタルオーディオ信号が音圧レベル解析部１３ａに供給される。音圧レベル解析部１３ａにより得られた音圧レベル信号Ｓ１が最大値検出部１３ｂに供給される。最大値検出部１３ｂにより検出された最大値がしきい値設定部１３ｃに供給される。しきい値設定部１３ｃにより設定されたしきい値がトリガー発生部１３ｄに供給される。トリガー発生部１３ｄには、音圧レベル解析部１３ａからの音圧レベル信号Ｓ１が時間合わせ用の遅延部１３ｅを介して供給される。最大値検出部１３ｂ、しきい値設定部１３ｃ、トリガー発生部１３ｄは、音連動信号生成部を構成する。さらに、音連動信号生成部および遅延部１３ｅは、オーディオプロセッサ１３が有する機能であり、ハードウェアのみならず、ソフトウェアにより実現される機能も含む。
【００２６】
音圧レベル解析部１３ａにおいて、オーディオデータの音圧レベルが検出され、音圧レベルを示す音圧レベル信号Ｓ１からトリガー信号Ｓ２が形成される。最大値検出部１３ｂによって検出された最大値からしきい値が設定され、設定されたしきい値に対して、音圧レベル信号Ｓ１が所定の変化を示した場合に、トリガー信号Ｓ２が発生する。なお、音圧レベル信号Ｓ１の変化とトリガー信号Ｓ２の発生との関係の詳細は、後述する。
【００２７】
トリガー信号Ｓ２が光源制御部１０ａに対して供給される。光源制御部１０ａは、コントローラ１０が有する機能である。コントローラ１０は、供給されたトリガー信号Ｓ２に応じて各種の制御を実行する。この一実施形態では、例えば、コントローラ１０が光源２４を制御する処理を行い、操作ボタン群２１やＬＣＤ２２の表示色を変化させる。
【００２８】
すなわち、トリガー信号Ｓ２が供給されると、コントローラ１０の光源制御部１０ａが制御信号Ｓ３を生成する。制御信号Ｓ３が光源制御部１０ａから光源２４に対して供給される。制御信号Ｓ３は、例えば、光源２４の色を指定する。光源２４が複数の箇所に設けられ、別個に制御可能な場合には、発光する光源を指定するようになされる。光源２４が制御信号Ｓ３に応じて発光する。光源２４の例えばＬＥＤが発光することによって、操作ボタン群２１やＬＣＤ２２が発光する。
【００２９】
４．トリガー信号生成処理
トリガー信号は、音源部２５からのオーディオ信号の曲と連動して生成される。すなわち、オーディオ信号の所定期間例えば１秒毎の最大レベルｍが最大値検出部１３ｂによって検出され、最大レベルｍを基準としてしきい値がしきい値設定部１３ｃによって設定される。なお、１秒に限らず、３０ｍｓ等の間隔で、最大値を検出しても良い。トリガー発生部１３ｄによって、オーディオ信号が設定されたしきい値（スレッショルドと称する）と比較される。スレッショルドによって、オーディオ信号の各サンプルがハイレベル（フラグＦ＝１と表す）と、ローレベル（フラグＦ＝０と表す）と、ハイレベルおよびローレベルの中間のレベル（不定レベルと略す）とに分けられる。そして、（Ｆ＝０）から（Ｆ＝１）へ変化した場合に、トリガー信号Ｓ２を生成するようになされる。
【００３０】
図４Ａは、オーディオデータ（音圧レベル信号）Ｓ１の入力レベルＬの一例である。オーディオデータＳ１は、例えば１秒間に４個のサンプルが存在し、各サンプルが１６進（０ｘと表記する）の入力レベルＬを有する。最大値検出部１３ｂにおいて、１秒間毎に最大値ｍが検出され、その１秒間保持される。例えば図４Ａでは、最初の１秒間Ｔ１では、（０ｘ０ａ）が最大値ｍとして検出される。検出された最大値ｍが保持される。１秒間毎の最大値ｍは、１秒毎にリフレッシュされる。例えば図４Ａにおいて、Ｔ１の期間の最大値（＝（０ｘ０ａ））が次の期間Ｔ２の始まりでリフレッシュされる。次の期間Ｔ２における最大値（＝（０ｘ０７））が検出される。
【００３１】
このように１秒間毎に検出された最大値（１秒間最大値と称する）ｍを保持し、１秒毎にリフレッシュされる保持最大値Ｍ（図４Ａの最も下のデータ）のデータが生成される。期間Ｔ２からＴ３に変わる時点では、期間Ｔ２の１秒間最大値（０ｘ０７）がリフレッシュされ、保持最大値Ｍが（０ｘ０ａ）から（０ｘ０７）にリフレッシュされる。
【００３２】
期間Ｔ４からＴ５に切り換わる時には、期間Ｔ４の１秒間最大値（０ｘ０５）がリフレッシュされる。しかしながら、保持最大値Ｍは、（０ｘ０５）にリフレッシュされず、（０ｘ０６）となる。この理由は、次の期間Ｔ５で最初のサンプルの値（０ｘ０６）が保持最大値Ｍ（＝（０ｘ０５））より大きいためである。
【００３３】
このような最大値検出処理を行い、しきい値設定部１３ｃによって、図４Ｂに示すように、保持最大値Ｍからロースレッショルドおよびハイスレッショルドが設定される。保持最大値Ｍの７５％以上のデータに関して、フラグＦを１とするハイレベルスレッショルドと、ＭＡＸの５０％未満のデータに関して、フラグＦを０とするローレベルスレッショルドとが設定される。図４Ｂには、Ｍ＝（０ｘ０ａ）（偶数）の場合と、Ｍ＝（０ｘ０９）（奇数）の場合とが示されている。
【００３４】
Ｍ＝（０ｘ０ａ）の場合では、（０ｘ００）〜（０ｘ０４）が（Ｆ＝０）と判定され、（０ｘ０５）（０ｘ０６）が不定と判定され、（０ｘ０７）〜（０ｘ０ａ）が（Ｆ＝１）と判定されるようなスレッショルドが設定される。Ｍ＝（０ｘ０９）の場合では、（０ｘ００）〜（０ｘ０４）が（Ｆ＝０）と判定され、（０ｘ０５）が不定と判定され、（０ｘ０６）〜（０ｘ０９）が（Ｆ＝１）と判定されるようなスレッショルドが設定される。最大値検出部１３ｂおよびしきい値設定部１３ｃによって、上述したような最大値の検出と、スレッショルドの設定とがなされる。そして、（Ｆ＝０）から（Ｆ＝１）への変化が発生する時に、トリガー発生部１３ｄからトリガー信号Ｓ２が出力される。
【００３５】
図５のフローチャートに示すような順序で判定用音圧レベルとしての保持最大値Ｍが決定される。図５の各記号の意味は、下記の通りである。
Ｍ：保持最大値
Ｌ：入力レベル
Ｔ：経過時間（秒）
ｔ：更新秒数（例えば１秒）
ｍ：過去１秒間の最大値
【００３６】
処理が開始してから最初のステップＳ１において、保持最大値Ｍの値が初期化（０）される。ステップＳ２において、過去１秒間の最大値が初期化（０）される。ステップＳ３において、経過時間（秒）Ｔの値が初期化（０）される。
【００３７】
ステップＳ４において、レベルＬを有するオーディオデータの１サンプルが入力される。ステップＳ５において、（Ｌ＞ｍ）か否かが判定される。（Ｌ＞ｍ）と判定されると、Ｌがｍの値とされる（ステップＳ６）。（Ｌ≦ｍ）の場合には、ｍの値が保持される。
【００３８】
例えば図４における期間Ｔ０において、ステップＳ１，Ｓ２，Ｓ３の初期化がなされる。最初のサンプルのレベルＬが（０ｘ０４）であるので、ステップＳ６の処理によって、１秒間最大値ｍの値が（０ｘ０４）とされる。
【００３９】
ステップＳ７において、（Ｍ＜ｍ）か否かが判定される。（Ｍ＜ｍ）と判定されると、ｍがＭの値とされる（ステップＳ８）。（Ｍ≧ｍ）の場合には、Ｍの値が保持される。次のステップＳ９においては、（Ｔ≧ｔ）か否かが判定される。経過時間Ｔがｔ（例えば１秒間）より短い場合には、処理がステップＳ４に戻り、上述したステップＳ５〜Ｓ８の処理が繰り返される。
【００４０】
例えば期間Ｔ１において、入力オーディオデータの次のサンプルのレベルＬが（０ｘ０ａ）であるので、ステップＳ６の処理によって、１秒間最大値ｍの値が（０ｘ０ａ）とされる。ステップＳ７において、（０ｘ０４）＜（０ｘ０ａ）と判定されるので、ステップＳ８において、（０ｘ０ａ）が最大値Ｍとされる。そして、処理がステップＳ４に戻る。
【００４１】
図４の例では、４番目のサンプルが入力されてステップＳ４〜Ｓ８の処理がなされると、ステップＳ９において、（Ｔ≧ｔ）と判定され、ステップＳ１０がなされ、ｍがＭの値とされる。そして、処理がステップＳ２に戻り、次の１秒間の処理が同様になされる。但し、ステップＳ１の処理がなされないので、最大値Ｍの初期化がされない。
【００４２】
図６のフローチャートに示すような順序で音連動信号としてのトリガー信号Ｓ２が生成される。図６の各記号の意味は、下記の通りである。
Ｓ：トリガー信号
Ｆ：判定フラグ
Ｌ：入力レベル
ＨＴ：ハイスレッショルド
ＬＴ：ロースレッショルド
【００４３】
上述した例では、ハイスレッショルドＨＴが保持最大値Ｍの７５％の値とされ、ロースレッショルドＬＴが保持最大値Ｍの５０％の値とされる。ここでは、簡単のため、ハイスレッショルドＨＴ＝ロースレッショルドＬＴ＝５０％とし、不定領域が存在しないものとする。最初の初期化のステップＳ１において、トリガー信号Ｓとして０がセットされる。
【００４４】
ステップＳ１２において、オーディオデータの入力レベルＬが入力されると、ステップＳ１３において、過去の入力レベルに関する判定フラグＦが０か否かが判定される。判定フラグＦが０でない、すなわち、Ｆが１と判定されると、ステップＳ１４において、（Ｌ＜ＬＴ）か否かが判定される。（Ｌ＜ＬＴ）と判定される場合、判定フラグＦが０とされる（ステップＳ１５）。（Ｌ＜ＬＴ）でないと判定される場合、判定フラグＦが変更されない。そして、処理がステップＳ１２（入力レベルＬの入力）に戻る。
【００４５】
ステップＳ１３において、判定フラグＦが０であると判定されると、ステップＳ１６において、（Ｌ≧ＨＴ）か否かが判定される。（Ｌ≧ＨＴ）でない場合には、フラグＦが変更されずに、処理がステップＳ１２（入力レベルＬの入力）に戻る。ステップＳ１６において、（Ｌ≧ＨＴ）であると判定されると、ステップＳ１７において、フラグＦが１とされる。判定フラグＦが０から１に変化したので、ステップＳ１８において、トリガー信号Ｓ（Ｓ２）が出力される。
【００４６】
５．スペクトラムアナライザの出力データの処理
車載オーディオ装置等では、ＬＣＤ２２の表示画面上に再生中の音楽信号をスペクトラムアナライザによって分析した結果を表示することがなされる。例えばオーディオ信号の帯域が複数例えば７個の帯域に分割され、各帯域のオーディオ信号のレベルが検出される。検出されたオーディオ信号のレベルの変化が表示パターンに変換されて、ＬＣＤ２２の画面上に表示される。
【００４７】
上述した図３に示す構成において、音源部２５としてスペクトラムアナライザの各帯域のレベル検出器の出力信号を使用することができる。したがって、複数例えば７個の帯域毎に図３に示す構成が設けられ、各帯域のトリガー信号が生成される。この場合、スペクトラムアナライザの最大値検出機能を利用して所定期間毎の最大値を検出するようにしても良い。そして、７個の帯域のそれぞれにおいて発生したトリガー信号の論理和出力がトリガー信号として出力される。但し、一部の帯域、例えば低域から中域に関してトリガー信号を生成し、その論理和出力をトリガー信号として出力しても良い。
【００４８】
６．表示制御の例
表示制御部１０ａは、上述のように生成されるトリガー信号を受け取って表示色を切り替えるように、光源部２４を制御する。表示色の変化として、予め複数の色の変化する順序が設定されている色変化パターンが用意されている。図７Ａに示すように、レインボーの名前が付された色変化パターンは、赤色から始まって合計１２個の色がトリガー信号が発生する度に順番に切り換わるものである。
【００４９】
図７Ｂに示すオーシャンの名前が付された色変化パターンは、類似した色相（青色（寒色）系統）の合計８個の色がトリガー信号が発生する度に順番に切り換わるものである。さらに、図示を省略するが、赤系統（暖色）の複数の色からなるサンセットと名前が付された色変化パターン、緑系統の複数の色からなるフォレストと名前が付された色変化パターンも可能である。
【００５０】
さらに、合計２３個の色をランダムに切り替える色変化パターンを使用しても良い。これらの複数の色変化パターンは、ユーザの選択によって設定される。但し、再生するオーディオ信号の曲調に合わせて自動的に切り替えるようにしても良い。
【００５１】
さらに、図８示すように、トリガー信号により色切り替えの変化ての急峻度が異なる変化のパターンが可能とされている。パターンＡは、一定スパンのグラデーションで色を切り替えるパターンである。パターンＢは、色切り替えをグラデーションを付けて行った後、所定期間、同じ色を保持するパターンである。パターンＣは、色切り替えをはっきりと行うパターンである。
【００５２】
パターンＡは、色変化の急峻度が緩やかなもので、表示から受ける印象が穏やかなものである。パターンＣは、色変化の急峻度が激しいもので、表示から受ける印象が強いものである。パターンＢは、パターンＡとパターンＣとの中間の印象を生じさせるものである。これらのパターンは、ユーザの選択によって設定される。但し、上述した色変化のパターン、または再生するオーディオ信号の曲調に合わせて自動的に切り替えるようにしても良い。
【００５３】
＜２．変形例＞
上述した説明では、表示装置としてＬＣＤを使用しているが、バックライトを必要としない自発光方式の表示装置を使用しても良い。さらに、生成されたトリガー信号によって表示の色を切り替えるのに限らず、明度を切り替えるようにしても良い。
【符号の説明】
【００５４】
１・・・車載オーディオ装置
１０・・・コントローラ
１０ａ・・・光源制御部
１３・・・オーディオプロセッサ
１３ａ・・・音圧レベル解析部
１３ｂ・・・最大値検出部
１３ｃ・・・しきい値設定部
１３ｄ・・・トリガー発生部
２２・・・ＬＣＤ
２３・・・タッチパネル
２４・・・光源
２５・・・音源部
【図１】
2012027227.tif 000003
【図２】
2012027227.tif 000004
【図３】
2012027227.tif 000005
【図４】
2012027227.tif 000006
【図５】
2012027227.tif 000007
【図６】
2012027227.tif 000008
【図７】
2012027227.tif 000009
【図８】
2012027227.tif 000010